(57)【要約】      （修正有）【課題】落下防止のためのガラスの手摺を石壁に固定する固定具において、手摺に対して作用する力を最適に吸収し石壁に力を移す機械的な手段と、手摺を鉛直に位置合わせする調整手段と、を提供する。【解決手段】脚部８、９およびバー１０の内側に充填された接着剤コーティング１１によりガラスパネル３、４が固定されるＵ字形断面レール７を備えると共に、１つまたは複数の支持板１３がＵ字形断面レール７に取り付けられ、個々の支持板１３に割り当てられた調整装置１５により、支持板１３と石壁１２との距離を調整して手摺２を鉛直に位置合わせする。【選択図】図２ａ
2011190675.tif 000002
【特許請求の範囲】
【請求項１】
落下防止のためにガラス手摺（２）を石壁（１２）に固定する固定具（１）であって、安全ガラスパネル（３、４、５）を形成する少なくとも２枚のガラス（３、４）とＵ字形断面レール（７）とを備えて構成され、前記Ｕ字形断面レールに、ガラス（３、４）が、Ｕ字形断面レール（７）の脚部（８、９）とバー（１０）の内側表面に充填された接着剤コーティング（１１）を用いて固定される、固定具において、
１つまたは複数の支持板（１３）が前記Ｕ字形断面レール（７）に取り付けられ、設置された状態で、前記支持板（１３）が前記石壁（１２）に平行に延び、ほぼ水平に前記手摺（２）に作用する力（Ｆ）に対する延長線に位置合わせされ、それぞれの前記支持板（１３）に付設された調整装置（１５）によって、前記支持板（１３）と前記石壁（１２）との距離を調整することができ、前記それぞれの支持板（１３）が前記石壁（１２）に対して拘束されることを特徴とする、固定具。
【請求項２】
前記調整装置（１５）がネジ切りピン（１６）から構成され、前記ネジ切りピン（１６）の自由端部が、前記石壁（１２）に直接或いは介在要素を介して接触するか、または前記石壁（１２）の、好ましくはネジ付き穴（２８）内にねじ込まれ、前記支持板（１３）に貫通穴（２０）が作られ、前記ネジ切りピン（１６）が前記貫通穴（２０）を通り、前記貫通穴（２０）に雌ねじが作られるか、または前記貫通穴（２０）に隣接して箱形チャネル（１８）が設けられ、前記箱形チャネル（１８）内に、ナット（１９）またはネジ切りされたブロックが挿入され、前記ネジ切りピン（１６）が、前記雌ねじ、前記ナット（１９）または前記ネジ切りされたブロック内にねじ込まれることを特徴とする、請求項１に記載の固定具。
【請求項３】
１つまたは互いに離間された複数の支持脚部（１４）が前記それぞれの支持板（１３）に形成され、前記支持脚部（１４）が取り付け状態で、前記石壁（１２）に面していて、前記調整装置（１５）が２つの隣接する支持脚部（１４）の間に配置されることを特徴とする、請求項１または２に記載の固定具。
【請求項４】
前記支持板（１３）と前記石壁（１２）との間にグラウト（２５）が充填され、前記グラウト（２５）および前記支持板（１３）を通る膨張壁プラグ（１６’）によって、前記手摺（２）が前記石壁（１２）に固定されることを特徴とする、請求項１〜３のいずれか一項に記載の固定具。
【請求項５】
前記それぞれの支持板（１３）の自由端部と前記Ｕ字形断面レール（７）の外向き脚部（８）の自由端部との間に、傾斜して延びる少なくとも１つの支持バー（２１）、または前記手摺（２）の全長にわたって延びる保持板（２１’）が配置され、前記支持バー（２１）または前記保持板（２１’）が、前記手摺（２）に作用する前記力（Ｆ）を吸収することを特徴とする、請求項１〜４のいずれか一項に記載の固定具。
【請求項６】
前記保持板（２１’）に１つまたは複数の溝（２２）が作られ、前記調整装置（１５）と面一に延びることを特徴とする、請求項５に記載の固定具。
【請求項７】
垂直に延びる前記Ｕ字形断面レール（７）の前記２つの脚部（８、９）が同じサイズであるか、または加えられる前記力（Ｆ）に向かう前記脚部（８）が、力ベクトル（６）とは逆に配置される前脚部（９）よりも小さいことを特徴とする、請求項１〜６のいずれか一項に記載の固定具。
【請求項８】
前記支持板（１３）が前記Ｕ字形断面レール（７）から直角に突出し、前記石壁（１２）に面する前記支持板（１３）の下側が、前記Ｕ字形断面レール（７）の水平バー（１０）と一平面に配置され、または前記支持板（１３）から突出する前記支持脚部（１４）が、前記Ｕ字形断面レール（７）の前記バー（１０）と同じ平面に延びることを特徴とする、請求項１〜７のいずれか一項に記載の固定具。
【請求項９】
前記支持板（１３）、前記Ｕ字形断面レール（７）、および前記支持バー（２１）または前記保持板（２１’）が、一体部品として構成されることを特徴とする、請求項１〜８のいずれか一項に記載の固定具。
【発明の詳細な説明】
【技術分野】
【０００１】
本発明は、請求項１の前文（プリアンブル部分、所謂おいて部分）に係る、落下防止のために手摺を石壁（石とモルタルで築かれた壁、あるいは壁全体）に固定する固定具に関する。
【背景技術】
【０００２】
手摺を形成するために床に取り付けられたパネルに対するこの種の保持固定具は、特許文献１に開示されている。通常、パネルは、複合介在層により一緒にしっかりと接続され、それにより、安全なガラスパネルを形成する２枚のガラスからなる。手摺は、石壁、例えば、建物の中間階、外部もしくは内部のバルコニー、またはそれ自体は落下を防ぐには十分な高さではない、石壁を構成する壁部分に取り付けられ、落下を防ぐ手段として機能する。
【０００３】
介在層を使用して一緒になった２枚のガラスは一緒に、Ｕ字形断面の支持レールに挿入され、接着剤のコーティングにより支持レールに固定される。支持レールは、石壁に固定されるＵ字形断面の保持形材内に挿入される。
【０００４】
最新技術による保持固定具は、特に手摺を形成するガラスに傾斜をつけるのに効率的であることが証明されているが、保持形材ひいては手摺は、石壁の外側に固定しなければならない。その結果、石壁に対して主として外側に向かって水平に作用する力を、石壁と保持形材との間にある取り付け具で支持する必要がある。この力は多くの場合、手摺の自由になった上端部のエリアに対して作用し、それにより、水平の力の作用点と石壁への保持形材の取り付け点との距離を応力中心距離としてみなすことができるため、相当なトルクを生じさせる。更に、支持レール内のガラスは、圧縮および張力の両方に曝され、それにより、接着剤コーティングが、特に振動力プロファイルの場合に修理不可能なほど破損する恐れがある。
【０００５】
更に、支持形材と石壁との間の取り付けピンは専ら、水平方向での張力および垂直方向での撓みに曝され、それにより、取り付けピンに作用する力を、追加の構造的要素、例えば、ワッシャまたはインターロック歯形材等の他の構造的手段により吸収する必要がある。
【先行技術文献】
【特許文献】
【０００６】
【特許文献１】DE 10 2006 028 766 A1
【発明の概要】
【発明が解決しようとする課題】
【０００７】
したがって、本発明の目的は、確実な落下防止保護を提供し、手摺に対して機械的に作用する力を最適に吸収し、吸収した力を石壁に移すと同時に、手摺を鉛直配置に位置合わせするために調整の可能性を提供する、上記種類の固定具を生み出すことである。
【課題を解決するための手段】
【０００８】
これらの目的は、本発明により、請求項１の特徴部分に列挙される特徴により達成される。
【０００９】
本発明の他の有利な更なる実施形態が、従属請求項において開示される。
【００１０】
Ｕ字形断面レールに、１つまたは複数の支持板が設けられ、支持板の長手は手摺に対して作用する力の方向に位置合わせされ、それにより、Ｕ字形断面のレールおよびレールに形成される支持板の両方が、水平方向に延びる石壁の上端部に配置されるため、これらの力を支持板で吸収し、石壁に移すことができる。その結果、それらの力は有利に支持板により支持され、厳密に予測可能な張力および圧縮力が、ガラスをＵ字形断面レールに取り付けられるために提供される接着剤コーティングに生じる。
【００１１】
この状況では、力ベクトルに隣接して配置される接着剤コーティングは張力負荷に曝され、その一方で、外側のガラスとＵ字形断面レールの外側の脚部との間の逆の接着剤コーティングは、圧縮負荷に曝される。安全に関する法定規則でははっきりと、手摺ひいては接着剤コーティングが振動力プロファイルに曝される場合であっても、使用される接着剤コーティングが、長い使用期間にわたっても修理不能な破損に対する耐性を示すことが義務づけられている。そのような物理的な実証は、接着剤コーティングへの張力負荷および圧縮負荷が事前に分かり、負荷ベクトルが変化しない場合に提供することができる。
【００１２】
本発明による手摺の特に有利な実施形態は、１つまたは複数の支持バーまたは保持板がＵ字形断面レールの外脚部と支持板の自由端部との間に設けられ、これら２つの構成要素の間に斜めに、換言すれば、外脚部と支持体に対して４５°の角度で位置合わせされる場合に提供される。支持板、支持バー、および／または保持板は、長手が力ベクトルに位置合わせされるため、手摺に対して作用する力を吸収する。したがって、その結果、Ｕ字形断面レールおよび支持板は、支持バーまたは保持板により補強され、三角形の断面を形成する。
【００１３】
製造物の製造の耐故障性により、設置する手摺を鉛直かつ隣接する手摺と同じ高さに位置合わせできるように、調整に対する許容性を提供する必要があり、その結果、調整装置が支持板に配置される。調整装置は、支持板と石壁との距離を調整できるようにする。調整装置は主に、支持板に作られた貫通穴および貫通穴を通り、自由端部が石壁の水平に位置合わせされた表面に接触するネジ切りピンを備える。この場合、貫通穴は、チャネルにより制限されたスペース内に開き、チャネル内にナットが挿入されて、支持板とフォームロック接続する。その結果、ネジ切りピンがナット内にねじ込まれた場合、支持板の位置が石壁に対して変化し、手摺を垂直平面に対して位置合わせできると共に、隣接する手摺に対しても位置合わせできる。
【００１４】
したがって、支持板はまず、ネジ切りピンにより石壁に接触し、更に、膨張するダボまたは壁プラグにより石壁に対して保持される。膨張する壁プラグは、支持板に作られたスロットを通り、石壁にあけられた穴内に挿入される。更に、グラウト（注入モルタル）が使用されて、個々のチャネル間に配置されたスロット形の開口部を充填し、これにより補強され、ひいては、支持板の下側と石壁との接続が提供される。その結果、膨張する壁プラグおよびグラウトにより、支持板に対する局所的な保持が確立される。
【００１５】
図面は、詳細に後述される本発明により構成される手摺の実施形態例を示す。
【図面の簡単な説明】
【００１６】
【図１】調整装置を有し、人の落下を防ぐ手段を提供する、建物の石壁構造に取り付けられた手摺を断面図で示す。
【図２ａ】図１による手摺の調整装置のエリアを拡大図で示す。
【図２ｂ】図２ａによる手摺を更に拡大した図で示す。
【図３ａ】図１による手摺の石壁への取り付けエリアを示す。
【図３ｂ】図３ａによる手摺を拡大図で示す。
【図４】図１による手摺のＵ字形断面レールを斜視図で示す。
【発明を実施するための形態】
【００１７】
図１、図２ａ、および図２ｂは、落下防止を提供するために、バルコニーに取り付けられた手摺２を固定する固定具１を示す。固定具１は、２枚のガラス３および４が挿入されるＵ字形断面レール７からなる。複合介在層５が２枚のガラス３と４との間に設けられ、それにより、手摺２を形成するガラス３および４ならびに介在層５は、局所的な力の負荷に曝された場合であっても破損しない安全なガラスを呈する。
【００１８】
手摺２の内側には参照番号２３が提供され、手摺２の外側には参照番号２４が提供される。例えば、バルコニーに立っている人が手摺２に寄りかかった場合、力Ｆが手摺２にかかり得る。力Ｆの力ベクトルは参照番号６で識別される。角度を示すαで表される概略的な図は、力ベクトル６は角度範囲α内で変化し得るが、それにも関わらず、力Ｆが主に内側２３から外側２４に水平方向に手摺２に対して作用することを示している。この力プロファイルは、Ｕ字形断面レール７に対して作用するトルクを生じさせ、このトルクは、水平方向における力成分を、加力点とＵ字形断面レール７の下側との応力中心距離で乗算したもので構成される。
【００１９】
Ｕ字形断面レール７に使用されるガラス３および４は、接着剤コーティング１１により２つの脚部８および９の内側に固定されると共に、Ｕ字形断面レール７の水平バー１０に固定され、それにより、Ｕ字形断面レール７上にガラス３および４を支持するために追加の取り付け部品が必要ない。断熱マットまたはシリコーンフォイル等をガラス３および４とバー１０との間に設けることも実現可能である。
【００２０】
したがって、手摺２に作用する力Ｆは、外脚部９と外側のガラス４との間に存在する接着剤コーティング１１に圧縮力を生み出し、他方で、内側脚部８と内側のガラス３との間の接着剤コーティング１１は張力負荷を受ける。
【００２１】
最適な機械的手段により、石壁１２とは逆方向に手摺２に作用する力Ｆを支持するために、Ｕ字形断面レール７上に形成された支持板１３が存在し、支持板１３は、Ｕ字形断面レール７の全長に沿って延びてもよく、または間に指定されたギャップがあるいくつかの個々の支持板により形成されてもよい。好ましい実施形態では、Ｕ字形断面レール７および支持板１３は、互いに９０°の角度で延びる一体部品として製造される。
【００２２】
支持板１３の全長に沿って互いに平行に延びる５個の支持脚部１４が、支持板１３に形成される。設置された状態では、支持脚部１４は、グラウト２５により石壁１２の水平表面から距離をおいて固定される。
【００２３】
多くの場合、製造時の欠陥により、石壁１２の長さにわたって不均等なエリアがあること、またはガラス３および４ならびにＵ字形断面レール７が、互いに正確に鉛直に延びないことがあり、それにより、支持板１３ひいてはＵ字形断面レール７も垂直平面において位置合わせできるように、調整装置１５が設けられる。
【００２４】
調整装置１５は主に、支持板１３に作られた貫通穴２０内に挿入されるネジ切りピン１６からなり、ネジ切りピン１６は、石壁１２の水平表面に接触する自由端部１７を有する。
【００２５】
箱形チャネル１８が、貫通穴２０のエリア内に、この穴と位置合わせされて設けられ、この場合、チャネル１８は大方矩形の断面を有し、支持脚部１４内に延びる。ナット１９がチャネル１８内に押し込まれ、貫通穴２０と位置合わせされて位置決めされ、それにより、ネジ切りピン１６をナット１９内にねじ込むことができる。この場合、ナット１９は、チャネル１８ひいては支持板１３ともフォースまたはフォームロック接続して配置され、それにより、ネジ切りピン１６がねじ込まれた場合、支持板１３と石壁１２との距離を調整することができる。すなわち、ネジ切りピン１６が石壁１２の方向においてナット１９にねじ込まれる場合、手摺２は内側２３の方向において内側２３に隣接する支持脚部１４を中心として旋回する。他方、ネジ切りピン１６が対応する様式で外側から内側にねじ込まれた場合、手摺２は外側２４の方向に傾斜する。その結果、ネジ切りピン１６のねじ込みにより、手摺２を鉛直角に設置することができる。更に、手摺２を隣接する手摺２と位置が合うように設置することもでき、石壁１２の不均等なエリアを補償することが可能である。
【００２６】
したがって、支持板１３はＵ字形断面レール７の力ベクトル６に対する延長として配置され、主にＵ字形断面レール７と直角をなすため、手摺２に作用する力Ｆは、支持板１３および支持板１３に取り付けられた調整装置１５により吸収され、石壁１２に移る。
【００２７】
Ｕ字形断面レール７と支持板１３との接続をより強くするために、１つまたは複数の支持バー２１が設けられる。支持バー２１は、Ｕ字形断面レール７の外脚部９と支持板１３の自由端部との間に延び、それにより、三角形の断面が支持板１３、Ｕ字形断面レール７、および支持バー２１の間に確立される。対応する支持バー２１は、力Ｆが及ぼす水平の力成分を吸収し、Ｕ字形断面レール７が安定化され、それにより、特に、Ｕ字形断面レール７の外脚部９が外側に向かって押されない。
【００２８】
美観のために、Ｕ字形断面レール７の内脚部８および外脚部９は、同じ高さの寸法である。しかし、内脚部８により吸収される圧縮力は専ら脚部８の下部に作用するため、内脚部８を外脚部９より小さくすることも可能である。
【００２９】
固定具１を激しい雨、太陽からの紫外線光、および他の環境の影響から保護するために、複数のカバーセクション２７が設けられ、これらのカバーセクション２７は、固定具１、特に外脚部９にクリップまたはネジで留めることができる。例えば、カバーセクション２７は、天候から保護するための金属製のレールまたは窓枠である。
【００３０】
図３ａおよび図３ｂは、石壁１２への支持板１３の取り付けを示す。明確に言えば、支持板１３の支持脚部１４がグラウト２５内に挿入され、このグラウト２５により保持されている。更に、貫通穴２０’のうちの１つが設けられ、それにより、グラウト２５が問題となっているチャネル１８内に直接充填される。
【００３１】
図４は、互いに離間された個々の支持バー２１も連続保持板２１’として構成し得ることを示す。外部からネジ切りピン１６および貫通穴２０または２０’に手が届くように、保持板２１’に溝２２を作る必要がある。
【００３２】
図４は、ネジ切りピン１６のための貫通穴２０ならびにグラウト２５を充填するための貫通穴２０’の配置も示す。
【００３３】
更に、図３ａ、図３ｂ、および図４は、石壁１２への支持板１３の係留も示す。明確に言えば、膨張壁プラグ１６’が支持板１３に作られたスロット２９内に挿入され、壁プラグ１６’は、石壁１２に設けられた穴内に挿入され、次に、通常通りにナットを回すことにより穴内で膨張する。更なる固定を提供するために、歯付きプロファイル２８を有するワッシャ２６が、ナットと支持板１３の上側との間に設けられる。歯付きプロファイル２８は、これらの部品が互いにフォームロック接続で接続されるように、支持板１３の表面輪郭に適合する。
【符号の説明】
【００３４】
１  固定具
２  手摺
３、４  ガラス
５  複合介在層
６  力ベクトル
７  Ｕ字形断面レール
８、９  脚部
１０  水平バー
１１  接着剤コーティング
１２  石壁
１３  支持板
１４  支持脚部
１５  調整装置
１６  ネジ切りピン
１６’  壁プラグ
１７  自由端部
１８  チャネル
１９  ナット
２０、２０’  貫通穴
２１  支持バー
２１’  保持板
２２  溝
２３  手摺の内側
２４  手摺の外側
２５  グラウト
２６  ワッシャ
２７  カバーセクション
２８  歯付きプロファイル
２９  スロット
【図１】
2011190675.tif 000003
【図２ａ】
2011190675.tif 000004
【図２ｂ】
2011190675.tif 000005
【図３ａ】
2011190675.tif 000006
【図３ｂ】
2011190675.tif 000007
【図４】
2011190675.tif 000008